(57)【要約】【課題】  容器の形状保形性を高めるようにし、とくに、内容物の移し替えにあたって、容器を確実に把持して、操作が容易に行われるようにしたパウチ状容器を提供すること。【解決手段】  上部コーナー部に注出口部を設けた容器本体と、容器本体に折曲げ可能として連設された保持帯を具備したパウチ状容器であって、内容液充填後に、保持帯を容器本体に巻き付け、係止手段を介して接合させたことを特徴とする。【選択図】  図１
2005335772.tif 000002
【特許請求の範囲】
【請求項１】
上部コーナー部に注出口部を設けた容器本体と、容器本体に折曲げ可能として連設された保持帯を具備したパウチ状容器であって、
内容液充填後に、保持帯を容器本体に巻き付け、係止手段を介して接合させたことを特徴とするパウチ状容器。
【請求項２】
係止手段が、保持帯の上端に設けられた係止部と、容器本体の注出口部側の胴部シール部に刻設させたスリットであることを特徴とする請求項１記載のパウチ状容器。
【請求項３】
保持帯の上部に設けられた係止部が、リング部となっていることを特徴とする請求項２記載のパウチ状容器。
【請求項４】
係止手段が、保持帯、または容器本体に設けられた剥離フィルムを貼着した接着剤層であることを特徴とする請求項１記載のパウチ状容器。
【請求項５】
係止手段が、保持帯と容器本体を接着する接着フィルムであることを特徴とする請求項１記載のパウチ状容器。  
【発明の詳細な説明】
【技術分野】
【０００１】
本発明は、パウチ状容器、とくに形状保形性を向上させたパウチ状容器に関するものである。
【背景技術】
【０００２】
底シール部をガセット形式としたスタンディングパウチにおいて、両側縁部の側部シール部（６）の上部に袋の保持用の打ち抜き穴（１０）、または切目線による穴（１１）を設け、内容物の移し替えにあたって、袋を容易に保持できるようにし、さらに、注出口近くにエンボス加工部（９）による凹条を設けてフィルム同士の密着を防止するとともに、注出路の保形性を維持するようにしたスタンディングパウチは、従来より知られている（特許文献１参照）。
【０００３】
また、両側縁部の側部シール部の外側に、延長シール部（７）に袋の保持用の穴（８）を設け、壁面フィルムに縦方向のエンボス加工部（１２）を設け、保持用穴（８）を手で保持するようにすることによって、注出口の保形性を保ちながら内容物を容易に移し替えるようにしたスタンディングパウチも、従来より知られている（特許文献２参照）。
【０００４】
さらに、注出口部を胴部上部の角部に設け、注出口部を形成する領域のフィルムに、外側に膨らむ膨らみ部を設けたスタンディングパウチも、従来より知られている（特許文献３参照）。
【特許文献１】特開２００２−１５４５５２号公報
【特許文献２】特開２００２−１７９０９５号公報
【特許文献３】特開２００４−１８６７号公報
【発明の開示】
【発明が解決しようとする課題】
【０００５】
上記従来のスタンディングパウチは、いずれも積層フィルムが用いられているが、容器として柔軟であり、剛性が不足しているという問題があった。
上記特許文献１、２記載のスタンディングパウチは、移し替え始めで、内容物が充満している場合には、保持用の穴を保持していても容器が揺れ、移し替え時に注出口が詰め替え対象となる容器口部から外れ、内容物を周辺にこぼすという問題があった。
また、注出口近辺で、壁面フィルムが折曲がって、注出できなくなるという問題があった。
【０００６】
上記特許文献３記載のスタンディングパウチも、注出口部は膨らみ部で補強されているが、容器として保形性が不十分であり、移し替え時に注出口部の下側で壁面フィルムが折れ曲がって、注出が止まるという点では特許文献１、２記載のものと変わらなかった。
【０００７】
本発明は、上記問題を解決することを課題として、容器の形状保形性を高めるようにし、とくに、内容物の移し替えにあたって、容器を確実に把持して、操作が容易に行われるようにしたパウチ状容器を提供することを目的とする。
【課題を解決するための手段】
【０００８】
本発明は、上記の課題を解決するため、パウチ状容器として、上部コーナー部に注出口部を設けた容器本体と、容器本体に折曲げ可能として連設された保持帯を具備したパウチ状容器であって、内容液充填後に、保持帯を容器本体に巻き付け、係止手段を介して接合させたことを特徴とする構成を採用する。
【０００９】
係止手段の別実施例として、係止手段が、保持帯の上端に設けられた係止部と、容器本体の注出口部側の胴部シール部に刻設させたスリットであることを特徴とする構成、または、保持帯の上部に設けられた係止部が、リング部となっていることを特徴とする構成、または、係止手段が、保持帯、または容器本体に設けられた剥離フィルムを貼着した接着剤層であることを特徴とする構成、または、係止手段が、保持帯と容器本体を接着する接着フィルムであることを特徴とする構成を採用する。
【発明の効果】
【００１０】
容器本体に連設された保持帯を折曲げ、容器本体の所定の位置に係止することで、容器の形状保形性が高くなり、内容物注出時に注出口の開口状態を安定して保ち、内容物を最後まで安定して注出できるようになった。
【発明を実施するための最良の形態】
【００１１】
次に、本発明のパウチ状容器について、実施例をあげ、図面を参照して説明する。
【実施例１】
【００１２】
第１実施例は、パウチ状容器の側部上方に保持帯を設け、保持帯の上端に設けた係止部を、容器本体側縁のシール部に形成したスリットに嵌挿したものである。
図１において、Ａはスタンディングパウチの容器本体、Ｂは容器本体Ａに設けられた注出口部、Ｃは容器本体Ａに設けられた保持帯である。
【００１３】
図１〜３に示すように、容器本体Ａは、胴部の表裏二枚の壁面フィルム１ａ、１ｂを、注出口部Ｂ側の側端縁部の胴部シール部２と、反対側の側端縁部の胴部シール部３、および二枚の壁面フィルム１ａ、１ｂ下端に内側に折込まれた底部フィルム４を舟形シールパターンとした底部シール部５とをシールすることにより、公知のガゼット形式で形成されている。
【００１４】
容器本体Ａの上部には、図１に示すように、切欠部６で切欠かれ、その注出口部Ｂ側の側部と注出口部Ｂの外周には、胴部シール部２に接続する注出口部シール部７によりシールされ、外側上方に突出する注出口部Ｂが設けられており、切欠部６の反対側の側部には、注出口部シール部７に連設される側部シール部８によってシールされ、該側部シール部８と、胴部シール部３により内容物充填後に上端縁をシールされる保持帯Ｃが設けられている。
【００１５】
胴部シール部２には、所定の位置に保持帯Ｃの上端部を嵌挿し係止するスリット９が穿設されている。
【００１６】
注出口部Ｂは、上端に切取部１０が形成されており、その下には切取部１０を切離し、注出口１１を開口するため、ノッチなどの開封処理部を設けた切断ライン１２が形成されている。
【００１７】
壁面フィルム１ａ、１ｂ外側表面には、注出口部Ｂに、注出口１１の開口の形状保形性を高めるため、所定の箇所に、表面に突出する補助リブ１３が突設されている。
【００１８】
保持帯Ｃは、表裏二枚の壁面フィルム１ａ、１ｂに、注出口部シール部７の注出口部Ｂ上部側辺の延長線上の表側壁面フィルム１ａ外側表面に凹設された折り目凹部１４と、裏側壁面フィルム１ｂ外側表面に凸設された折り目凸部１５とを介して連設された保持帯部１６ａ、１６ｂとからなり、内容物充填シール後、前記スリット９に嵌挿する係止部１７が設けられており、その下にスリット９の端部に係止する縮径された切欠部１８が刻設されている。
両側の切欠部１８の間は、内容物を充填する開口１９となっている。
【００１９】
次に、パウチの使用態様と作用効果について説明する。
パウチ状容器は、二枚の壁面フィルム１ａ、１ｂと底部フィルム４の各シール部を、従来のように、ヒートシールまたは接着剤による接着などの方法によりシールして形成される。
容器本体Ａに連設された保持帯Ｃの開口１９から内容物が充填され、充填後に保持帯Ｃの開口１９をシールし密封する。
【００２０】
使用にあたっては、図３に示すように、まず、表裏二枚の壁面フィルム１ａ、１ｂに設けられた折り目凹部１４と、折り目凸部１５とをそれぞれ谷折り、山折りにし、保持帯Ｃを容器本体Ａの壁面フィルム１ａ側に巻き付けるようにして折曲げる。
次いで、保持帯Ｃの係止部１７を、容器本体Ａの胴部シール部２に設けられたスリット９に嵌挿し、切欠部１８をスリット９端部に係止させることにより、保持帯Ｃがスリット９に係止される。
【００２１】
次に、注出口部Ｂ上端の切取部１０の切断ライン１２を開封処理部より切断することによって、注出口１１を開口する。  
【００２２】
図３に示すように、保持帯Ｃを容器本体Ａに巻き付けてスリット９に嵌挿し、係止しているため、容器の形状保形性が高く、補助リブ１３の形状保形力と合わさって、注出口１１の開口状態が維持される。
【００２３】
内容物の注出にあたっては、容器本体Ａを傾けていくと、注出口１１より内容物が注出される。
注出口１１の開口状態が安定しているため、内容物を小出しに注出する際でも、最後まで所望の方向に注出できる。
【００２４】
本実施例では、表裏二枚の壁面フィルム１ａ、１ｂに、それぞれ折り目凹部１４と折り目凸部１５とを設けたが、保持帯Ｃを容器本体Ａの表面の壁面フィルム１ａ側、または、裏面の壁面フィルム１ｂ側に巻き付けるようにして折曲げ、スリット９に嵌挿し係止されればいいので、折り目部の凹凸を配設せず、壁面フィルムに折り目ラインを描いておくだけでもよい。
また、折り目部の形状、折曲げの方向は、上記実施例の形状、方向に限定されない。
【実施例２】
【００２５】
次に、パウチ状容器の第２実施例について説明する。
本実施例は、第１実施例の保持帯と該保持帯を保持するスリットの構成を変更したもので、第１実施例と同様の構成については、同一の符号をもって図示し、相違点を中心に説明する。
【００２６】
図４、５において、Ａは容器本体、Ｂは容器本体に設けられた注出口部、Ｃａは容器本体Ａに設けられた保持帯である。
保持帯Ｃａは、表裏二枚の壁面フィルム１ａ、１ｂより形成された容器本体Ａの上部に折り目凹部１４と折り目凸部１５を介して連設された保持帯部１６ａ、１６ｂで形成されている。
【００２７】
保持帯Ｃａは、外周が胴部シール部３に接続した係止部シール部２０と側部シール部８によりシールされ、内容物充填後にシールされる開口２１により形成されている。
【００２８】
係止部シール部２０は、外方上方に突出するリング状のリング部２２と、その下の縮径された係止部２３とから形成されている。
【００２９】
容器本体Ａに設けられた注出口部側の胴部シール部２には、所定の位置に保持帯Ｃａのリング部２２を嵌挿し、係止するスリット９ａが穿設されている。
【００３０】
次に、本実施例の使用態様と作用効果について説明する。
パウチ状容器は、第１実施例同様に、各シール部が、ヒートシールまたは接着剤による接着などの方法によりシールして形成される。
容器本体Ａに連設された保持帯Ｃａの開口２１から内容物が充填され、充填後に開口２１をシールし密封する。
【００３１】
使用にあたっては、図５に示すように、まず、表裏二枚の壁面フィルム１ａ、１ｂに設けられた折り目凹部１４と、折り目凸部１５とをそれぞれ谷折り、山折りにし、保持帯Ｃａを容器本体Ａの壁面フィルム１ａ側に巻き付けるようにして折曲げる。
次いで、保持帯Ｃａのリング部２２を容器本体Ａの胴部シール部２に設けられたスリット９ａに嵌挿し、係止部２３によりスリット９ａ端部に係止され、保持帯Ｃａがスリット９ａに係止される。
【００３２】
次に、注出口部Ｂ上端の切取部１０の切断ライン１２を開封処理部より切断し、注出口１１を開口する。
容器本体Ａを傾けていくと、注出口１１より内容物が注出される。
【００３３】
保持帯Ｃａを、容器本体Ａに巻き付けて、スリット９ａに嵌挿し係止しているため、第１実施例と同等の作用効果を得ることができる。
また、保持帯Ｃａにリング部２２を設けているため、リング部２２内に手指を差込み、持ち運びが便利となり、また、リング部２２内にフックを入れることによって、商品の展示にも役立たせることができる。
【００３４】
第１実施例同様、保持帯Ｃａを容器本体Ａに巻き付けて、リング部２２をスリット９ａに嵌挿し、係止部２３で係止できればよいため、折り目部の形状、リング部の形状、折曲げの方向は、上記実施例の形状、方向に限定されない。
【実施例３】
【００３５】
次に、パウチ状容器の第３実施例について説明する。
本実施例は、第１実施例の保持帯に形成された係止部と、それを係止するスリットをなくし、代わりに接着部を設けたもので、第１実施例と同一の構成については、同一の符号をもって図示し、詳しい説明を省略し、相違点を中心に説明する。
【００３６】
図６、７、８において、Ａは容器本体、Ｂは容器本体に設けられた注出口部、Ｃｂは容器本体Ａに設けられた保持帯である。
保持帯Ｃｂは、表裏二枚の壁面フィルム１ａ、１ｂより形成された容器本体Ａの上部に折り目凹部１４と折り目凸部１５を介して連設された保持帯部１６ａ、１６ｂから形成され、その側部外周は、胴部シール部３と側部シール部８によりシールされ、内容物充填後に上端の開口２１ａがシールされる。
【００３７】
表側の保持帯部１６ａの上部には、接着部３０が設けられており、接着部３０は、図７に示すように、保持帯部１６ａ表面に塗着された接着剤層３１と、それに付着された剥離フィルム３２とからなっている。
【００３８】
次に、本実施例の使用態様と作用効果について説明する。
パウチ状容器は、第１実施例同様に、各シール部をヒートシールまたは接着剤による接着などの方法によりシールして形成される。
容器本体Ａに連設された保持帯Ｃｂの開口２１ａから内容物が充填され、充填後に開口２１ａをシールして密封する。
【００３９】
使用にあたっては、まず、保持帯Ｃｂに設けられた接着部３０の剥離フィルム３２を指で摘み、接着剤層３１より剥離する。
【００４０】
表裏二枚の壁面フィルム１ａ、１ｂに設けられた折り目凹部１４と、折り目凸部１５とをそれぞれ谷折り、山折りにし、保持帯Ｃｂを容器本体Ａの壁面フィルム１ａ側に巻き付けるようにして折曲げる。
次いで、保持帯Ｃｂの接着部３０の接着剤層３１を、図８に示すように、壁面フィルム１ａの所定の位置に貼着させ係止する。
【００４１】
次に、注出口部Ｂ上端の切取部１０の切断ライン１２を開封処理部より切断し、注出口１１を開口する。
容器本体Ａを傾けていくと、注出口１１より内容物が注出される。
【００４２】
保持帯Ｃｂを容器本体Ａに巻き付けて壁面フィルム１ａに貼着し係止しているため、容器の形状保形性が高く、補助リブ１３の形状保形力と合わさって、注出口部Ｂの注出口１１が開口状態で維持される。
注出口１１の開口状態が安定しているため、内容物を小出しに注出する際でも最後まで所望の方向に注出できる。
【００４３】
次に、保持帯Ｃｂを貼着する場所を変えた変形例について説明する。
上記実施例では、保持帯Ｃｂを壁面フィルム１ａの所定の位置に貼着したが、図９に示すように、保持帯Ｃｂを、容器本体Ａの注出口側の胴部シール部２を表側の壁面フィルム１ａ側に折曲げ、それを巻き込んで、裏側の壁面フィルム１ｂの所定の位置に貼着してもよい。
また、この場合は、上記実施例よりも、容器の形状保形性が高くなり、開口状態の安定がよくなる。
【００４４】
本実施例では、保持帯Ｃｂを容器本体Ａに巻き付けて、接着部を貼着して係止できればよいので、接着部の形状、折曲げの方向は、上記実施例の形状、方向に限定されない。
また、接着部の剥離フィルム３２表面に、接着部３０の使い方などを文字や図画などで描くことができる。
さらに、接着部を容器本体側に設けてもよい。
【実施例４】
【００４５】
次に、パウチ状容器の第４実施例について説明する。
本実施例は、第３実施例の接着部を接着シートに変えたのもので、第３実施例と同様の構成については、同一の符号をもって図示し、相違点を中心に説明する。
【００４６】
図１０において、Ａは容器本体、Ｂは容器本体に設けられた注出口部、Ｃｃは容器本体Ａに設けられた保持帯である。
保持帯Ｃｃは、図１０、１１、１２に示すように、表裏二枚の壁面フィルム１ａ、１ｂより形成された容器本体Ａの上部に折り目凹部１４と折り目凸部１５を介して連設された保持帯部１６ａ、１６ｂから形成され、その側部外周は、胴部シール部３と側部シール部８によりシールされ、上端縁は、内容物充填後にシールされる開口２１ａとなっている。
【００４７】
保持帯Ｃｃの保持帯部１６ａ表面には、接着シート４０が貼着されている。
接着シート４０は、図１１に示すように、接着剤４１によって貼着した剛性のある紙、または合成樹脂製の剛性フィルム４２と、該剛性フィルム４２の表面に塗布された接着剤４３の層、および接着剤４３を保護する剥離フィルム４４とからなっている。
【００４８】
次に、本実施例の使用態様と作用効果について説明する。
パウチ状容器は、第１実施例同様、周縁部の各シール部がヒートシール、または接着剤による接着などの方法によりシールして形成される。
容器本体Ａに連設された保持帯Ｃｃの上方から内容物が充填され、充填後に開口２１ａをシールして密封する。
【００４９】
使用にあたっては、まず、保持帯Ｃｃに貼着された接着シート４０の剥離フィルム４４を指で摘み、剛性フィルム４２表面の接着剤４３の層より剥離する。
【００５０】
表裏二枚の壁面フィルム１ａ、１ｂに設けられた折り目凹部１４と、折り目凸部１５とをそれぞれ谷折り、山折りにし、保持帯Ｃｃを剛性フィルム４２とともに、容器本体Ａの壁面フィルム１ａ側に巻き付けるようにして折曲げ、保持帯部１６ａを壁面フィルム１ａに接着剤４３により貼着させ、係止する。
【００５１】
次に、注出口部Ｂ上端の切取部１０の切断ライン１２を開封処理部より切断し、注出口１１を開口する。
容器本体Ａを傾けていくと、注出口１１より内容物が注出される。
【００５２】
保持帯Ｃｃを、剛性のある剛性フィルム４２とともに、容器本体Ａに巻き付けて壁面フィルム１ａに貼着し係止するため、巻き込み部に剛性を持たせることができ、容器の形状保形性がより高くなっている。
【００５３】
上記実施例では、接着シート４０を保持帯Ｃｃに貼着するようにしたが、反対に容器本体Ａに貼着し、剥離フィルム４４を剥がして保持帯Ｃｃを貼着し、係止するようにしてもよい。
【実施例５】
【００５４】
次に、パウチ状容器の第５実施例について説明する。
本実施例は、パウチ容器と接着フィルムを別体とし、容器本体Ａに保持帯Ｃｄを巻き付け、接着フィルムで保持帯Ｃｄを容器本体Ａに接着するようにしたものである。
【００５５】
図１３において、５０はほぼ角形の接着フィルムであり、フィルム５１と接着剤層５２と剥離フィルム５３とからなっている。
容器本体Ａと保持帯Ｃｄの構造は、第３実施例における構造と同一であり、前記各実施例と同様に、容器本体Ａに内容物が充填された後に、開口２１ａがシールされる。
【００５６】
次に、保持帯Ｃｄを容器本体Ａに巻き付け、胴部シール部２を保持帯Ｃｄ側に折曲げ、まず、剥離フィルム５３を剥がした接着フィルム５０の接着剤層５２の片側を保持帯Ｃｄの保持帯部１６ｂに貼着し、次いで、接着フィルム５０の反対側を容器本体Ａの壁面フィルム１ｂに貼着して、保持帯Ｃｄと容器本体Ａを接着する。
【００５７】
本実施例は、パウチ状容器と接着フィルム５０が別体となっているので、接着フィルム５０の一端部を、まず、保持帯Ｃｄ、または容器本体Ａの裏側に貼着し、次いで、他の端部を容器本体Ａ、または保持帯Ｃｄに貼着すればよいので、巻き付け、接着操作が極めて簡単にでき、その他には、前記各実施例と同様の作用効果を得ることができる。
【００５８】
また、接着フィルム５０の形状については、保持帯Ｃｄの巻き付け端を容器本体Ａに接着できればよく、形状、数もとくに限定されない。
【００５９】
前記各実施例では、容器本体の形状も、パウチ状容器として上部に注出口部と保持帯を形成できればよいので、底部はガゼット形式でなくともよく、例えば、二枚の壁面フィルムの下端をそのままシールしたものでもよく、実施例の形状に限定されない。
【００６０】
各実施例とも内容物使用後は、容器を折曲げること等により、コンパクトにまとめることができ、ゴミの軽減化ができる。
【産業上の利用可能性】
【００６１】
パウチ状容器として、保持帯を容器本体に巻き付け、剛性を増したから、注出口の開口を注出開始から最後まで安定して形状を維持することができ、内容物として液体、粉体、半固形体の洗剤、化粧料、食料品、薬品などの詰替容器として利用できる。
【図面の簡単な説明】
【００６２】
【図１】本発明第１実施形態のパウチ状容器の立面図である。
【図２】パウチ状容器の斜視図である。
【図３】保持帯を容器本体に係止したときの説明図である。
【図４】第２実施形態のパウチ状容器の斜視図である。
【図５】保持帯を容器本体に係止したときの説明図である。
【図６】第３実施形態のパウチ状容器の斜視図である。
【図７】接着層の説明図で、（ａ）は立面図、（ｂ）は上面図である。
【図８】保持帯を容器本体に係止したときの説明図である。
【図９】別態様の接着時の説明図である。
【図１０】第４実施形態のパウチ状容器の斜視図である。
【図１１】接着層の説明図で、（ａ）は立面図、（ｂ）は上面図である。
【図１２】保持帯を容器本体に接着したときの説明図である。
【図１３】第５実施形態のパウチ状容器の説明図で、（ａ）は接着フィルムの説明図、（ｂ）は保持帯と容器本体との接着時の説明図である。
【符号の説明】
【００６３】
Ａ          容器本体
Ｂ          注出口部
Ｃ、Ｃａ、Ｃｂ、Ｃｃ、Ｃｄ  保持帯
１ａ，ｂ    壁面フィルム
２、３      胴部シール部
４          底部フィルム
５          底部シール部
６、１８    切欠部
７          注出口部シール部
８          側部シール部
９、９ａ    スリット
１０        切取部
１１        注出口
１２        切断ライン
１３        補助リブ
１４        折り目凹部
１５        折り目凸部
１６ａ，ｂ  保持帯部
１７        係止部
１９、２１、２１ａ  開口
２０        係止部シール部
２２        リング部
２３        係止部
３０        接着部
３１、５２  接着剤層
３２        剥離フィルム
４０        接着シート
４１、４３  接着剤
４２        剛性フィルム
４４、５３  剥離フィルム
５０        接着フィルム
５１        フィルム
【図１】
2005335772.tif 000003
【図２】
2005335772.tif 000004
【図３】
2005335772.tif 000005
【図４】
2005335772.tif 000006
【図５】
2005335772.tif 000007
【図６】
2005335772.tif 000008
【図７】
2005335772.tif 000009
【図８】
2005335772.tif 000010
【図９】
2005335772.tif 000011
【図１０】
2005335772.tif 000012
【図１１】
2005335772.tif 000013
【図１２】
2005335772.tif 000014
【図１３】
2005335772.tif 000015